(57)【要約】【課題】  プローブの先端が生体組織に接近していることを検知可能なＯＣＴシステムを提供する。【解決手段】  先端が閉塞しており、少なくとも先端及び先端近傍において光透過性を有するシースと、シース内に挿通され、シースの先端近傍まで光を導くための光ファイバと、光ファイバに低コヒーレント光を供給する第１の光源と、光ファイバにモニタ光を供給する第２の光源と、光ファイバから射出された低コヒーレント光を光ファイバの光軸に対して略垂直に偏向させると共に、光ファイバから射出されたモニタ光がシース先端側の外部所定位置で焦点を結ぶように構成された光学系と、モニタ光の反射光の強度を検出するモニタ光検出手段と、モニタ光検出手段の検出結果を提示する提示手段とを備えたＯＣＴシステムを提供する。【選択図】  図３
2008191022.tif 000002
【特許請求の範囲】
【請求項１】
先端が閉塞しており、少なくとも先端及び先端近傍において光透過性を有するシースと、
前記シース内に挿通され、前記シースの先端近傍まで光を導くための光ファイバと、
前記光ファイバに低コヒーレント光を供給する第１の光源と、
前記光ファイバにモニタ光を供給する第２の光源と、
前記光ファイバから射出された前記低コヒーレント光を前記光ファイバの光軸に対して略垂直に偏向させると共に、前記光ファイバから射出された前記モニタ光がシース先端側の外部所定位置で焦点を結ぶように構成された光学系と、
前記モニタ光の反射光の強度を検出するモニタ光検出手段と、
前記モニタ光検出手段の検出結果を提示する提示手段と、
を備えたことを特徴とするＯＣＴシステム。
【請求項２】
前記光学系は、前記光ファイバ先端に設けられ前記光ファイバから射出された発散光を収束させる第１のレンズを含むことを特徴とする請求項１に記載のＯＣＴシステム。
【請求項３】
前記光学系は、前記光ファイバ先端に設けられ前記光ファイバから射出された発散光を収束させる第１のレンズを含み、さらに、前記第１のレンズの作用により前記シース内部で焦点を結んだ後の前記モニタ光を再び収束させる第２のレンズを含むことを特徴とする請求項１に記載のＯＣＴシステム。
【請求項４】
前記第２のレンズが前記シース内の先端近傍に固定されていることを特徴とする請求項３に記載のＯＣＴシステム。
【請求項５】
前記光学系は、前記低コヒーレント光を偏向させる偏向部材を備え、
前記偏向部材は、前記モニタ光を透過させるよう構成されていることを特徴とする請求項１から請求項４のいずれかに記載のＯＣＴシステム。
【請求項６】
前記モニタ光検出手段が、前記光ファイバの基端側に備えられていることを特徴とする請求項１から請求項５のいずれかに記載のＯＣＴシステム。
【請求項７】
前記提示手段は、前記検出結果を、当該システムのオペレータが視認できるように表示することを特徴とする請求項１から請求項６のいずれかに記載のＯＣＴシステム。
【請求項８】
前記低コヒーレント光が赤外光であり、前記モニタ光が可視光であることを特徴とする請求項１から請求項７のいずれかに記載のＯＣＴシステム。
【請求項９】
前記第２の光源がレーザ光源であることを特徴とする請求項１から請求項８のいずれかに記載のＯＣＴシステム。
【発明の詳細な説明】
【技術分野】
【０００１】
この発明は、低コヒーレント光を供給する光源と、該低コヒーレント光を観察対象へ導くＯＣＴプローブとを備え、観察対象の断層像を取得するＯＣＴシステムに関する。
【背景技術】
【０００２】
近年、例えばＳＬＤ（Super Luminescent Diode）等の時間コヒーレンスが低く空間コヒーレンスが高い光源からの光（以下、低コヒーレント光という）を用いた光干渉断層法（Optical Coherence Tomography、以下、ＯＣＴと略記する）により、生体組織の断層像を取得するＯＣＴシステムが実用化されている。具体的には、ＯＣＴシステムは、上記光源を有する本体装置と、管腔内に挿入されるＯＣＴプローブとを有する。
【０００３】
ＯＣＴプローブは、光ファイバと、該光ファイバが挿通され、低コヒーレント光に対して透過性を有するように構成され、その先端部が閉塞されているシースとを有している。光ファイバの先端にはプリズム等の偏向部が設けられている。偏向部は、光ファイバに結合されて配置されており光ファイバから射出された低コヒーレント光を光ファイバの光軸に対し垂直な方向に偏向する。偏向された低コヒーレント光は、光ファイバの回転によって回転する偏向部により、光ファイバの光軸と交わる面内において走査される。また、偏向部は、低コヒーレント光の走査面内にある生体組織において反射された光を再び光ファイバ内に戻す。このようなＯＣＴプローブおよびシステムの構成は、例えば、特許文献１に開示されている。
【０００４】
【特許文献１】特開２０００−３２１０３４号公報
【発明の開示】
【発明が解決しようとする課題】
【０００５】
ＯＣＴプローブやそのシステムは、特許文献１にも記載されているように、内視鏡と組み合わせて使用される場合が多い。内視鏡の挿入部のチャンネル内にＯＣＴプローブを挿通させ、該挿入部先端からＯＣＴプローブを突出させることにより、体腔内の断面観察を行う。ＯＣＴプローブは内視鏡の挿入部よりも細径であるため、内視鏡の挿入部が進入できない体腔内の細管等の断面観察も可能である。
【０００６】
しかしながら、ＯＣＴプローブを用いて細管内の観察を行う際、ＯＣＴプローブには撮像素子等が設けられていないため、ＯＣＴプローブ先端前方がどのような状況になっているか（例えば細管の末端まで近づいているか等）は、術者は把握することができなかった。
【０００７】
本発明は、上記の事情に鑑みてなされたものであり、プローブの先端が生体組織に接近していることを検知可能なＯＣＴシステムを提供することを目的とするものである。
【課題を解決するための手段】
【０００８】
上記の課題を解決するために、本発明は、先端が閉塞しており、少なくとも先端及び先端近傍において光透過性を有するシースと、シース内に挿通され、シースの先端近傍まで光を導くための光ファイバと、光ファイバに低コヒーレント光を供給する第１の光源と、光ファイバにモニタ光を供給する第２の光源と、光ファイバから射出された低コヒーレント光を光ファイバの光軸に対して略垂直に偏向させると共に、光ファイバから射出されたモニタ光がシース先端側の外部所定位置で焦点を結ぶように構成された光学系と、モニタ光の反射光の強度を検出するモニタ光検出手段と、モニタ光検出手段の検出結果を提示する提示手段と、を備えたＯＣＴシステムを提供する。
【０００９】
この構成によれば、モニタ光が光ファイバから射出され、シースの先端を透過して、シース先端前方の生体組織に照射される。そのモニタ光の反射光の強度から、シース先端（すなわち、プローブ先端）が生体組織に接近していることを検知することができる。
【００１０】
また、本発明においては、光学系は、光ファイバ先端に設けられ光ファイバから射出された発散光を収束させる第１のレンズを含む。若しくは、光学系は、光ファイバ先端に設けられ光ファイバから射出された発散光を収束させる第１のレンズを含み、さらに、第１のレンズの作用によりシース内部で焦点を結んだ後のモニタ光を再び収束させる第２のレンズを含む。なお、第２のレンズはシース内の先端近傍に固定されている。
【００１１】
また、光学系は、低コヒーレント光を偏向させる偏向部材を備え、偏向部材は、モニタ光を透過させるよう構成されている。また、モニタ光検出手段が、光ファイバの基端側に備えられている。
【００１２】
また、本発明における提示手段は、モニタ光検出手段の検出結果を、当該システムのオペレータが視認できるように表示するよう構成されている。
【００１３】
また、具体的には、低コヒーレント光が赤外光であり、モニタ光が可視光である。そして、第２の光源がレーザ光源である。
【発明の効果】
【００１４】
したがって、本発明によれば、プローブの先端が生体組織に接近していることを検知可能なＯＣＴシステムを提供することができる。
【発明を実施するための最良の形態】
【００１５】
以下、図面を参照して、本発明に係るＯＣＴシステムの具体的な実施形態について説明する。
【００１６】
図１は、本実施形態のＯＣＴシステム１の全体構成を示すブロック図である。ＯＣＴシステム１は、ＯＣＴを利用して管腔内の生体組織に関する断層像を取得するためのシステムである。図１に示すようにＯＣＴシステム１は、ＯＣＴプローブ１００と、メイン装置２００と、表示部４００と、を有する。なお、図１に示すメイン装置２００内においては、電気信号の経路を破線で示す。また、以下の説明においては、光路上、ＯＣＴシステムの各光源（２０２，２０３）に近づく方向を基端側、該光源から遠ざかる方向を先端側と定義する。
【００１７】
メイン装置２００は、コントローラ２０１、低コヒーレント光源２０２、レーザ光源２０３、光カプラＣ１、光カプラＣ２、ロータリジョイント２０４、第１アクチュエータ２０５、光検出機構３００、信号処理回路２０７、レンズ２０８、ダハミラー２０９、第２アクチュエータ２１０、光ファイバＦ１〜Ｆ７を有する。なお、本実施形態の光ファイバはいずれもシングルモード光ファイバを想定する。
【００１８】
コントローラ２０１は、メイン装置２００全体を統括して制御する。低コヒーレント光源２０２は、低コヒーレント光を出力することができる光源であって、本実施形態ではＳＬＤ（Super Luminescent Diode）を想定する。また、低コヒーレント光は赤外光を想定する。レーザ光源２０３は、レーザ光を出力することができる光源であって、本実施形態では半導体レーザを想定する。また、レーザ光は、可視光を想定する。
【００１９】
また、ＯＣＴプローブ１００は、ロータリジョイント２０４に結合される光ファイバＦ５および光偏向部１１０を有する。なお、本実施形態のＯＣＴプローブ１００の内部においては、少なくとも光変更部１１０の周囲に、屈折率差による無用な光量損失を抑えるためのシリコンオイルが充填されている。
【００２０】
ＯＣＴシステム１を使用した場合、以下のようにして断層像が取得される。
【００２１】
まず、低コヒーレント光源２０２から低コヒーレント光が出力される。その低コヒーレント光は、光ファイバＦ１内を通り、光カプラＣ１に入射する。また、レーザ光源２０３から出力されたレーザ光は、光ファイバＦ２を通って光カプラＣ１に入射する。光カプラＣ１は、２対１の３チャネルタイプのものを使用しており、光ファイバＦ１と光ファイバＦ２からの光を光ファイバＦ３に結合させる。光カプラＣ１は、入射した低コヒーレント光を光ファイバＦ３に導く。光ファイバＦ３内を通った低コヒーレント光は光カプラＣ２に入射する。光カプラＣ２は、２対２の双方向４チャネルタイプのものを使用する。光カプラＣ２は、入射した低コヒーレント光を、光ファイバＦ４を通る光と、光ファイバＦ６を通る光とに分割する。
【００２２】
光カプラＣ２で分割されて光ファイバＦ４を光路上先端側へ進む低コヒーレント光（以降、本明細書中では物体光と称するものとする）は、次いでロータリジョイント２０４に導かれる。そして、ロータリジョイント２０４において結合される光ファイバＦ５に入射する。ロータリジョイント２０４は、コントローラ２０１の制御下、第１アクチュエータ２０５によって回転駆動され、光ファイバＦ５をその中心軸回りに回転させる。
【００２３】
光ファイバＦ５内を進む物体光は、光ファイバＦ５に軸合わせされた状態で接合している光偏向部１１０に入射する。光偏向部１１０の構成は後に詳述するが、入射する物体光を直角に偏向する機能を有する。偏向された物体光は、ＯＣＴプローブ１００の側面から射出され、プローブ外部に存在する管腔内の生体組織Ｓに照射される。
【００２４】
光偏向部１１０は、光ファイバＦ５と共に、ＯＣＴプローブ１００内部で回転する。従って、光偏向部１１０で偏向された物体光は、光偏向部１１０の回転軸に直交する面内において回転走査される。当該面内の生体組織Ｓからの反射光（以降、本明細書中では、物体反射光と称するものとする）は、入射時の光路と同一の光路を戻り、光カプラＣ２に導かれる。
【００２５】
光カプラＣ２で分割されて光ファイバＦ６を進む低コヒーレント光（以降、本明細書中では、参照光と称するものとする）は、レンズ２０８を介して、平行光束に変換された後、ダハミラー２０９で反射される。ダハミラー２０９からの反射光（以降、本明細書中では、参照反射光と称するものとする）は、光ファイバＦ６を通って戻り、光カプラＣ２に導かれる。
【００２６】
ダハミラー２０９は、コントローラ２０１の制御下、第２アクチュエータ２１０によって、レンズ２０８の光軸に沿って平行移動自在に構成されている。該構成により、光ファイバＦ６の先端側端面Ｆ６ａからダハミラー２０９間の光路長は可変となっている。言い換えれば、光カプラＣ２からダハミラー２０９間の光路長が可変となっている。
【００２７】
物体反射光および参照反射光は共に光カプラＣ２と光ファイバＦ７を経て光検出機構３００に入射する。ここで、ダハミラー２０９を平行移動させ、光カプラＣ２からダハミラー２０９間の光路長と光カプラＣ２から生体組織Ｓの表面又は所望の深さ間の光路長に一致させる。これにより、生体組織Ｓからの物体反射光があれば、二種類の反射光は干渉し、光検出機構３００において検出される。
【００２８】
光検出機構３００は、図２に示すように、レンズ３０１と、ダイクロイックミラー３０２と、光検出器３０３と、光検出器３０４とを備える。光ファイバＦ７から射出される物体反射光及び参照反射光は、レンズ３０１を経てダイクロイックミラー３０２に入射する。このダイクロイックミラー３０２は、低コヒーレント光の波長域の光（赤外光）は透過させ、レーザ光の波長域の光（可視光）は反射させるよう設計されている。よって、低コヒーレント光である物体反射光及び参照反射光は、ダイクロイックミラー３０２を透過して、光検出器３０３に入射する。
【００２９】
光検出器３０３は、二種類の反射光（物体反射光、参照反射光）を受光することにより検出した干渉パターンに対応する信号を信号処理回路２０７に送信する。信号処理回路２０７は、受信した該信号に所定の処理を施して、生体組織Ｓに関する画像信号を生成する。生成された画像信号は、表示部４００に出力される。表示部４００は、該画像信号に対応する画像を表示する。なお、上述したように、光偏向部１１０により偏向された物体光は、その回転軸に直交する面内において走査され、生体組織Ｓに照射される。また、ダハミラー２０９の平行移動により、生体組織Ｓの深さ方向（物体光の回転走査の半径方向）の各位置における物体反射光の干渉を検出することができる。よって、生成される画像信号に対応して表示される画像は生体組織Ｓの断層像として表れる。
【００３０】
以上が、ＯＣＴシステム１を使用した断層像の取得に関する構成の概略説明である。ＯＣＴシステム１は、さらに、レーザ光源２０３から出力されるレーザ光を用いて、ＯＣＴプローブ１００の先端とその先の障害物（生体組織）との接近を検知することができる。以下、当該レーザ光の光路およびその検出機構について説明する。
【００３１】
図１において、レーザ光源２０３から出力されたレーザ光は、光ファイバＦ２を通り、光カプラＣ１に入射する。光カプラＣ１は、光ファイバＦ１を通ってきた低コヒーレント光と当該レーザ光とを結合させ、光ファイバＦ３へ導く。光ファイバＦ３を通ったレーザ光は光カプラＣ２に入射する。光カプラＣ２は、入射したレーザ光を、光ファイバＦ４を通るレーザ光と、光ファイバＦ６を通るレーザ光とに分割する。
【００３２】
光ファイバＦ４を光路上先端側へ進むレーザ光は、ロータリジョイント２０４において光ファイバＦ５へ導かれる。光ファイバＦ５から光偏向部１１０に入射したレーザ光は、後述するように、直進し、ＯＣＴプローブ１００の先端から射出される。ＯＣＴプローブ１００先端に生体組織が存在する場合には、反射・散乱し、反射・散乱後の一部の光が同一の光路を戻り、光カプラＣ２に導かれる。なお、この反射光を、反射レーザ光と称するものとする。
【００３３】
反射レーザ光は、光カプラＣ２、光ファイバＦ７を経て光検出機構３００に入射する。光検出機構３００においては、反射レーザ光は、レンズ３０１を通過後、ダイクロイックミラー３０２により、直角に偏向されて、光検出器３０４に入射する（図２）。すなわち、光検出機構３００は、低コヒーレント光である物体反射光及び参照反射光を光検出器３０３に入射させ、レーザ光である反射レーザ光を光検出器３０４に入射させることで、それぞれの反射光を分離して検出する機能を有する。
【００３４】
光検出器３０４は、フォトディテクタ（ＰＤ）を備え、受光した反射レーザ光の強度に対応する信号を信号処理回路２０７に送信する。
【００３５】
次に、本実施形態のＯＣＴプローブ１００の構成について詳述する。図３は、ＯＣＴプローブ１００の先端付近を示す図である。
【００３６】
図３に示すように、ＯＣＴプローブ１００は、シース１２０内に、光ファイバＦ５、光偏向部１１０を有する。光偏向部１１０は、基端側から順に、コアレスガラス１１１、ＧＲＩＮレンズ１１２、直角プリズム１１３をそれぞれ接合した部材である。シース１２０は、先端が閉塞された、可撓性を有するチューブ管状の部材である。また、シース１２０は、光透過性を有している。なお、説明の便宜上、光ファイバＦ５の中心軸に沿う方向をＺ軸方向とした直交座標系を定義する。
【００３７】
光ファイバＦ５から射出された物体光は、コアレスガラス１１１を透過する間に幾分拡散した後、ＧＲＩＮレンズ１１２に入射する。ＧＲＩＮレンズ１１２は、光を集光させるパワー（正のパワー）を有するレンズであり、物体光を収束させつつ射出する。その後、物体光は直角プリズム１１３に入射する。直角プリズム１１３の偏向面１１３ａは、低コヒーレント光の波長域の光（赤外光）は反射させ、レーザ光の波長域の光（可視光）は透過させるようコーティングが施されている。物体光は偏向面１１３ａにおいて直角に偏向される。直角プリズム１１３から射出された物体光は、シース１２０の側壁を透過後、光路上の所定の位置Ｐで焦点を結ぶ。また、物体光は、光ファイバＦ５と共に回転する直角プリズム１１３（Ｚ軸まわりに回転）により、ＸＹ面内で回転走査される。
【００３８】
光ファイバＦ５から射出されたレーザ光は、コアレスガラス１１１、ＧＲＩＮレンズ１１２を経て直角プリズム１１３に入射する。レーザ光は、直角プリズム１１３の偏向面１１３ａを透過して直進し、さらにシース１２０の先端部１２０ａをも透過する。そして、レーザ光の光軸上の所定位置Ｑにおいて焦点を結ぶ。なお、本明細書においては、先端部１２０ａの外面とレーザ光の光軸とが交わる点からＺ軸方向に進む距離を、ＯＣＴプローブ１００先端からの距離Ｌと定義し、焦点位置Ｑまでの距離はＬ１とする。
【００３９】
図４は、ＯＣＴプローブ１００先端からの距離Ｌと反射レーザ光の強度の関係を示す図である。縦軸は反射レーザ光の強度Ｉ、横軸はＯＣＴプローブ１００先端からの距離Ｌをそれぞれ示す。
【００４０】
ＯＣＴプローブ１００の使用時、体腔内において該プローブの挿入を進行させると、ＯＣＴプローブ１００の先に生体組織があれば、その先端部１２０ａは次第に生体組織に近づく。すなわち、ＯＣＴプローブ１００の進行と共に距離Ｌは小さくなる。例えば、距離Ｌ２（＞＞Ｌ１）では、強度Ｉは非常に低い（Ｉ≒０）が、距離ＬがＬ２からＬ１に近づくにつれて、強度Ｉは増加する。距離ＬがＬ１になった時（すなわち、焦点位置Ｑが生体組織に達した時）、その反射レーザ光の強度Ｉは最大となる。さらにＯＣＴプローブ１００を挿入し、距離ＬがＬ１未満となると再び強度Ｉは減少する。なお、距離Ｌ１は例えば１ｃｍ程度である。
【００４１】
本実施形態では、反射レーザ光の強度Ｉを示す値が表示部４００に表示される。すなわち、信号処理回路２０７（図１）において強度Ｉに対応する信号に所定の処理が施され、表示部４００において、断面像とは別にインジケータを用いて強度Ｉを示す値が表示される。術者は、表示部４００のインジケータを見ながら、ＯＣＴプローブ１００を進行させる。ＯＣＴプローブ１００を進行させたときに、強度Ｉを示す値が増加せず、逆に減少する場合は、生体組織が距離Ｌ１よりも近づいているということを意味する。すなわち、ＯＣＴプローブ１００の先端が生体組織からほぼＬ１の距離にあるということを示している。
【００４２】
したがって、本発明のＯＣＴシステム１によれば、レーザ光が光ファイバＦ５から射出され、シース１２０の先端部１２０ａを透過して、ＯＣＴプローブ１００先端前方の生体組織に照射されるが、そのレーザ光の反射光を検出することにより、生体組織に接近していることを検知することができる。よって、体腔内におけるＯＣＴプローブの無理な挿通を避けることができ、また観察対象やプローブ自体の損傷を未然に防止することができる。
【００４３】
なお、上述のＯＣＴシステム１では、光検出機構３００において（図２）、低コヒーレント光の反射光（物体反射光及び参照反射光）と反射レーザ光とを分離するためにダイクロイックミラー３０２を用いる構成としたが、光サーキュレータを用いて、それらの光を分離する構成としてもよい。
【００４４】
また、強度Ｉを示す値の履歴を蓄積するメモリ等を信号処理回路２０７内に設け、蓄積された値のうちの最大値Ｉmaxを示す値を、現在検出中の強度Ｉを示す値と共に表示部４００に表示させてもよい。すなわち、術者は、ＯＣＴプローブ１００の挿入中に、現在の強度Ｉと最大値Ｉmaxとを比較し、現在の強度Ｉが最大値Ｉmaxよりも低くなった場合には（または、現在の強度Ｉが最大値Imaxを更新しなくなった場合には）、ＯＣＴプローブ１００と生体組織との距離がＬ１未満になっている（接近している）と判断することができる。
【００４５】
上記構成では、強度Ｉや最大値Ｉmaxを示す値を表示部４００に表示させるものとした。しかしながら、それらの値を術者に認識させるための構成は、表示部４００による表示に限定されるものではない。例えば、ＯＣＴシステム１は、現在の強度Ｉが最大値Ｉmaxよりも低くなったことを音声で通知するような構成としてもよい。術者は、音声により、ＯＣＴプローブ１００が生体組織に接近していることを知ることができる。よって、体腔内におけるＯＣＴプローブの無理な挿通を避けることができ、また観察対象やプローブ自体の損傷を未然に防止することができる。
【００４６】
図５は、本発明における他の実施形態のＯＣＴプローブ１１００を示す図である。図５において、図３に示すＯＣＴプローブ１００と同一の部材には同一の符号を付してその説明を省略する。
【００４７】
ＯＣＴプローブ１１００は、シース１２０内において、光偏向部１１０と先端部１２０ａとの間に、レンズ１２１とレンズ保持部材１２２とを備えている。レンズ保持部材１２２は、シース１２０の内壁に形成されており、レンズ１２１を保持するための部材である。
【００４８】
直角プリズム１１３から射出したレーザ光は、位置Ｑ’において焦点を結んだのち、レンズ１２１に入射し、その後、シース１２０の先端部１２０ａを透過して、ＯＣＴプローブ１１００から距離Ｌ３の焦点位置Ｑ”において再び焦点を結ぶ。ＯＣＴプローブ１１００においては、焦点位置Ｑ”に生体組織がある場合に反射レーザ光の強度が最大となるので、ＯＣＴプローブ１１００と生体組織との接近を検知することができる。
【００４９】
ＯＣＴプローブ１１００によれば、直角プリズム１１３から射出されるレーザ光の焦点位置（Ｑ’）がシース１２０内となる場合においても、レンズ１２１を用いることによって、シース１２０外部にレーザ光を収束させることができる。また、レンズ１２１の位置およびそのパワーの設定次第で、焦点位置Ｑ”を光軸上のどの位置にするかを決定することができる。
【００５０】
また、ＯＣＴプローブ１００および１１００においては、光偏向部１１０が物体光を直角に偏向するものとして説明した。しかしながら、光偏向部１１０における偏向角度は、必ずしも９０度（光ファイバＦ５から出射される物体光の光軸に対して）に限定されるものではない。偏向角度の許容範囲は、僅かな誤差程度の範囲のみならず、例えば、９０度から最大約１５度程度傾斜させた範囲（すなわち、偏向角度７５度〜１０５度程度）である。なお、偏向角度を９０度から幾らか傾斜させることで、シース１２０により反射される物体光の不要な反射光が光ファイバＦ５に入射することを防止することができる（物体反射光は物体光と同じ経路で戻る）。当該不要な反射光の防止を考慮した場合の好適な偏向角度の傾斜の範囲は、約５度〜１５度である。
【図面の簡単な説明】
【００５１】
【図１】本発明の実施形態のＯＣＴシステムの全体構成図である。
【図２】光検出機構の構成を示す図である。
【図３】本発明の実施形態のＯＣＴプローブを示す図である。
【図４】反射レーザ光の強度と反射位置との関係を示す図である。
【図５】本発明の他の実施形態のＯＣＴプローブを示す図である。
【符号の説明】
【００５２】
１  ＯＣＴシステム
１００，１１００  ＯＣＴプローブ
１１０  光偏向部
１１３  直角プリズム
１２０  シース
１２１  レンズ
１２２  レンズ保持部材
２００  メイン装置
２０１  コントローラ
２０２  低コヒーレント光源
２０３  レーザ光源
２０４  ロータリジョイント
２０５  第１アクチュエータ
２０９  ダハミラー
２１０  第２アクチュエータ
３００  光検出機構
３０２  ダイクロイックミラー
３０３，３０４  光検出器
Ｆ１〜Ｆ７  光ファイバ
【図１】
2008191022.tif 000003
【図２】
2008191022.tif 000004
【図３】
2008191022.tif 000005
【図４】
2008191022.tif 000006
【図５】
2008191022.tif 000007